(57)【要約】  ディスプレイを駆動する装置及び方法である。ディスプレイのラインが更新される順序は、ラインに対して更新されるデータ間の潜在的な類似点を利用できるように変更される。ラインは一つまたは複数の共通特性に従ってグループ化され、一つまたは複数のグループは順に更新される。
2013516658.tif 000002
【特許請求の範囲】
【請求項１】
ディスプレイを更新する方法であって、
前記ディスプレイが、複数のラインとして配置された複数のディスプレイ素子を備え、それぞれの前記ラインが関連づけられた色及び極性を有し、
前記方法が、前記ディスプレイの一つまたは複数の更新区域を更新する段階を備え、
一つまたは複数の前記更新区域のうち一つの更新区域が、一つまたは複数のラインを備え、
前記更新区域の一つまたは複数の前記ラインが、一つまたは複数の更新グループとしてグループ化され、
それぞれの前記更新グループが、一つまたは複数の共通の特性を有する一つまたは複数の前記ラインのサブセットを備え、
前記更新区域を更新する段階が、前記更新区域内の一つまたは複数の前記更新グループのそれぞれの更新グループを更新する段階を備え、
それぞれの前記更新グループを更新する段階が、前記更新グループ内の一つまたは複数の前記ラインの前記サブセット内のそれぞれのラインを更新する段階を備える、ディスプレイを更新する方法。
【請求項２】
一つまたは複数の前記共通の特性が、関連する色を備える、請求項１に記載の方法。
【請求項３】
一つまたは複数の前記共通の特性が、関連する極性を備える、請求項１に記載の方法。
【請求項４】
前記更新区域が、約３０のラインを備える、請求項１に記載の方法。
【請求項５】
前記更新グループのそれぞれが、約５のラインを備える、請求項１に記載の方法。
【請求項６】
前記更新区域内の一つまたは複数の前記ラインが、隣接している、請求項１に記載の方法。
【請求項７】
それぞれの前記更新グループ内の一つまたは複数の前記ラインの前記サブセットが、少なくとも部分的に隣接していない、請求項１に記載の方法。
【請求項８】
複数の前記ラインのうちのそれぞれのラインが、行または列を備える、請求項１に記載の方法。
【請求項９】
前記ディスプレイ素子が、２状態安定デバイスを備える、請求項１に記載の方法。
【請求項１０】
前記ディスプレイ素子が、干渉変調器を備える、請求項１に記載の方法。
【請求項１１】
複数のラインとして配置された複数のディスプレイ素子と、
複数の前記ディスプレイ素子に接続されたプロセッサと、を備え、
前記プロセッサが、複数の前記ディスプレイ素子の一つまたは複数の更新区域を更新するように構成され、
一つまたは複数の前記更新区域のうち一つの更新区域が、一つまたは複数の前記ラインを備え、
前記更新区域の一つまたは複数の前記ラインが、一つまたは複数の更新グループとしてグループ化され、
それぞれの前記更新グループが、一つまたは複数の共通の特性を有する一つまたは複数の前記ラインのサブセットを備え、
前記更新区域の更新が、前記更新区域内の一つまたは複数の前記更新グループのそれぞれの前記更新グループの更新を備え、
それぞれの前記更新グループの更新が、前記更新グループ内の一つまたは複数の前記ラインの前記サブセット内のそれぞれの前記ラインの更新を備える、ディスプレイ装置。
【請求項１２】
一つまたは複数の前記共通の特性が、関連する色を備える、請求項１１に記載の装置。
【請求項１３】
一つまたは複数の前記共通の特性が、関連する極性を備える、請求項１１に記載の装置。
【請求項１４】
前記更新区域が、約３０のラインを備える、請求項１１に記載の装置。
【請求項１５】
前記更新グループのそれぞれが、約５のラインを備える、請求項１１に記載の装置。
【請求項１６】
前記更新区域内の一つまたは複数の前記ラインが、隣接している、請求項１１に記載の装置。
【請求項１７】
それぞれの前記更新グループ内の一つまたは複数の前記ラインの前記サブセットが、少なくとも部分的に隣接していない、請求項１１に記載の装置。
【請求項１８】
複数の前記ラインのうちのそれぞれのラインが、行または列を備える、請求項１１に記載の装置。
【請求項１９】
前記ディスプレイ素子が、２状態安定デバイスを備える、請求項１１に記載の装置。
【請求項２０】
前記ディスプレイ素子が、干渉変調器を備える、請求項１１に記載の装置。
【請求項２１】
データを表示する手段と、
前記表示する手段の一つまたは複数の更新区域を更新する手段と、を備えるディスプレイ装置であって、
一つまたは複数の前記更新区域のうち一つの更新区域が、一つまたは複数のラインを備え、
前記更新区域の一つまたは複数の前記ラインが、一つまたは複数の更新グループとしてグループ化され、
それぞれの前記更新グループが、一つまたは複数の共通の特性を有する一つまたは複数の前記ラインのサブセットを備え、
前記更新区域を更新する手段が、前記更新区域内の一つまたは複数の前記更新グループのそれぞれの前記更新グループを更新する手段を備え、
それぞれの前記更新グループを更新する手段が、前記更新グループ内の一つまたは複数の前記ラインの前記サブセット内のそれぞれの前記ラインを更新する手段を備える、ディスプレイ装置。
【請求項２２】
装置によって実行されると、装置に方法を動作させる、コンピュータが実行可能な命令が格納された、コンピュータが読み取り可能な媒体であって、
前記方法が、ディスプレイの一つまたは複数の更新区域の更新を備え、
一つまたは複数の前記更新区域のうち一つの更新区域が、一つまたは複数のラインを備え、
前記更新区域の一つまたは複数の前記ラインが、一つまたは複数の更新グループとしてグループ化され、
それぞれの更新グループが、一つまたは複数の共通の特性を有する一つまたは複数の前記ラインのサブセットを備え、
前記更新区域の更新が、前記更新区域内の一つまたは複数の前記更新グループのそれぞれの前記更新グループの更新を備え、
それぞれの前記更新グループの更新が、前記更新グループ内の一つまたは複数の前記ラインの前記サブセット内のそれぞれの前記ラインの更新を備える、コンピュータが読み取り可能な媒体。
【発明の詳細な説明】
【技術分野】
【０００１】
本発明は、ディスプレイ装置の更新方式に関する。
【背景技術】
【０００２】
電気機械システム（Ｅｌｅｃｔｒｏｍｅｃｈａｎｉｃａｌ  ｓｙｓｔｅｍｓ：ＥＭＳ）は、機械素子、アクチュエータ及び電子部品を含む。機械素子は、電気及び電気機械装置を形成するために、成膜、エッチング及び／または、基板及び／または成膜された材料層から部品を除去しまたは層を付加するその他のマシニングプロセスを用いて作り出しうる。あるタイプのＥＭＳ装置は、干渉変調器と呼ばれる。本明細書で用いられるように、干渉変調器または干渉光変調器という語句は、光学的な干渉の原理を用いて光を選択的に吸収及び／または反射する装置を指し示す。特定の実施形態において、干渉変調器は一対の導電性平板を備えてもよく、そのうち一方または両方は全体または一部が透明及び／または反射性であり、適切な電気信号の印加によって相対的に動作することができるものでありうる。ある特定の実施形態において、一つの平板は基板上に成膜された固定された層からなってもよく、他方の平板はギャップによって、固定された層から離隔された金属からなるメンブレンを備えていてもよい。本明細書でより詳細に説明するように、一方の平板のもう一方に対する位置関係は、干渉変調器に入射する光の光学的な干渉を変化させることができる。そのような装置は幅広い領域で応用することができ、既存の製品を改良し、これまで開発されていない新しい製品の創出にその特徴が利用できるように、これらのタイプの装置の特性を利用可能とし及び／または改良することは、当技術分野にとって有益であろう。
【発明の概要】
【発明が解決しようとする課題】
【０００３】
ＥＭＳディスプレイ装置の電力消費を低減する従来の手法は、様々な技術が含まれているが、それら様々な技術のそれぞれは使用者に対して表示する画質を低下させることにより、使用者の体験を妥協させる傾向にあった。これらの手法は、表示される画像の解像度や複雑さを減少させる、ある時間周期においてシーケンス内の画像の数を減少させる、画像の階調や色強度の深さを減少させる、という手法を含んでいる。他には、ディスプレイを位置指定する異なる方法により電力消費を低減するという示唆がなされているが、これらは複雑すぎ、ディスプレイの位置指定から低減される電力よりも計算を解くためにより多くの電力を必要とする。
【課題を解決するための手段】
【０００４】
本明細書では、画像データの属性に基づく行位置指定順序の決定及びディスプレイへ画像を書き込むのに必要な列充電遷移の回数の低減によって電力消費を低減するように構成された方法及び装置を説明する。一実施形態は、ディスプレイ装置の行位置指定順序を効率的に計算しディスプレイを位置指定する方法を提供する。
【０００５】
本発明のシステム、方法、及びデバイスはそれぞれ、いくつかの側面を備えており、それらのどれも単独では、好ましい特性に寄与するものではない。これから、本発明の範囲に限定することなく、そのさらに顕著な特徴を端的に議論する。本議論を踏まえ、特に発明を実施するための形態を参照すれば、本発明の特徴がいかに他のディスプレイデバイスに対して優位であるかを理解することができる。
【０００６】
本発明の一側面は、ディスプレイを更新する方法を含む。前記ディスプレイは複数のラインとして配置された複数のディスプレイ素子を有し、それぞれの前記ラインは関連する色及び極性を有する。前記方法は、前記ディスプレイの一つまたは複数の更新区域を更新する段階を含む。一つまたは複数の前記更新区域のうち一つの更新区域は、一つまたは複数のラインを含む。前記更新区域の一つまたは複数の前記ラインは、一つまたは複数の更新グループとしてグループ化される。それぞれの前記更新グループは、一つまた複数の共通の特性を有する一つまたは複数のラインのサブセットを備える。更新区域を更新する段階は、前記更新区域内の一つまたは複数の更新グループのそれぞれの更新グループを更新する段階を備える。それぞれの更新グループを更新する段階は、前記更新グループ内の一つまたは複数のラインのサブセット内のそれぞれのラインを更新する段階を備える。
【０００７】
本発明の他の一側面は、ディスプレイ装置を含む。前記ディスプレイ装置は、複数のラインとして配置された複数のディスプレイ素子を含む。前記ディスプレイ装置はまた、複数の前記ディスプレイ素子に接続されたプロセッサを含む。前記プロセッサは、前記ディスプレイの一つまたは複数の更新区域を更新するように構成される。一つまたは複数の前記更新区域のうち一つの更新区域は、一つまたは複数のラインを備える。前記更新区域の一つまたは複数の前記ラインは、一つまたは複数の更新グループとしてグループ化される。それぞれの更新グループは、一つまたは複数の共通の特性を有する一つまたは複数のラインのサブセットを備える。更新区域を更新する段階は、更新区域内の一つまたは複数の更新グループのそれぞれの更新グループを更新する段階を備える。それぞれの更新グループを更新する段階は、更新グループ内の一つまたは複数のラインのサブセット内のそれぞれのラインを更新する段階を備える。
【０００８】
本発明の他の一側面は、ディスプレイ装置を含む。前記ディスプレイ装置はデータを表示する手段を含む。前記ディスプレイはまた、ディスプレイ手段の一つまたは複数の更新区域を更新する手段を含む。一つまたは複数の更新区域のうち一つの更新区域は、一つまたは複数のラインを含む。前記更新区域の一つまたは複数の前記ラインは、一つまたは複数の更新グループとしてグループ化される。それぞれの更新グループは、一つまたは複数の共通の特性を有する一つまたは複数のラインのサブセットを備える。前記更新区域を更新する手段は、前記更新区域内の一つまたは複数の更新グループのそれぞれの更新グループを更新する手段を備える。それぞれの前記更新グループを更新する手段は、前記更新グループ内の一つまたは複数の前記ラインの前記サブセット内のそれぞれのラインを更新する手段を備える。
【０００９】
本発明の他の一側面は、装置によって実行されるときには、装置に方法を動作させる、コンピュータが実行可能な命令を格納したコンピュータが読み取り可能な媒体を含む。前記方法は、ディスプレイの一つまたは複数の更新区域を更新する段階を含む。一つまたは複数の前記更新区域のうち一つの更新区域は、一つまたは複数のラインを備える。前記更新区域の一つまたは複数の前記ラインは、一つまたは複数の更新グループとしてグループ化される。それぞれの前記更新グループは、一つまたは複数の共通の特定を有する一つまたは複数の前記ラインのサブセットを備える。前記更新区域を更新する段階は、前記更新区域内の一つまたは複数の前記更新グループのそれぞれの更新グループを更新する段階を備える。それぞれの更新グループを更新する段階は、前記更新グループ内の一つまたは複数の前記ラインのサブセット内のそれぞれのラインを更新する段階を備える。
【図面の簡単な説明】
【００１０】
【図１】第一の干渉変調器の可動反射層が緩和位置にあり、第二の干渉変調器の可動反射層が作動位置にある干渉変調器ディスプレイの一実施形態の一部を示す等角図である。
【図２】３×３干渉変調器ディスプレイを組み込んだ電子デバイスの一実施形態を示すシステムブロック図である。
【図３】図１の干渉変調器の例示的な一実施形態における印加電圧に対する可動鏡の位置の図である。
【図４】干渉変調器ディスプレイを駆動するのに用いうる行および列の電圧の組み合わせを示す。
【図５Ａ】図２の３×３干渉変調器ディスプレイに表示データのフレームを書き込むのに用いうる行および列の信号の例示的な一タイミング図を示す。
【図５Ｂ】図２の３×３干渉変調器ディスプレイに表示データのフレームを書き込むのに用いることができる行および列の信号の例示的な一タイミング図を示す。
【図６Ａ】複数の干渉変調器を備える視覚ディスプレイデバイスの実施形態を示すシステムブロック図である。
【図６Ｂ】複数の干渉変調器を備える視覚ディスプレイデバイスの実施形態を示すシステムブロック図である。
【図７Ａ】図１の装置の断面図である。
【図７Ｂ】干渉変調器の代替的な一実施形態の断面図である。
【図７Ｃ】干渉変調器の他の代替的な一実施形態の断面図である。
【図７Ｄ】干渉変調器のさらに他の代替的な一実施形態の断面図である。
【図７Ｅ】干渉変調器の追加的な代替的な一実施形態の断面図である。
【図８】ディスプレイシステムの実施形態を示すシステムブロック図である。
【図９】コモンラインの電圧波形を示す例示的なタイミング図である。
【図１０】図８のディスプレイ素子の一部を示すシステムブロック図である。
【図１１Ａ】図８のディスプレイ素子の例示的な更新スケジュールを示す。
【図１１Ｂ】図８のディスプレイ素子の例示的な更新スケジュールを示す。
【図１２Ａ】図８のディスプレイ素子の他の一例示的な更新スケジュールを示す。
【図１２Ｂ】図８のディスプレイ素子の他の一例示的な更新スケジュールを示す。
【図１３Ａ】図８のディスプレイ素子の他の一例示的な更新スケジュールである。
【図１３Ｂ】図８のディスプレイ素子の他の一例示的な更新スケジュールである。
【図１４】図８のディスプレイ素子を更新するプロセスの一実施形態のフロー図である。
【発明を実施するための形態】
【００１１】
以下の詳細な説明は特定の具体的な実施形態に向けられたものである。しかしながら、本明細書で示される内容は多数の異なる方法で応用することができる。この説明において、図面において類似した部品は類似した符号で一貫して参照される。実施形態は動画（例えばビデオ）、静止画（例えば写真画像）及び文字または図表のどちらかのような画像を表示するように構成されたどのような装置にも実装されうる。より具体的には、実施形態は様々な電子装置の内部にあるいは関連して実装されてもよく、携帯電話、無線装置、個人データ端末（ＰＤＡ）、携帯型コンピュータ、ＧＰＳ受信機／ナビゲータ、カメラ、ＭＰ３プレイヤー、カムコーダ、ゲーム機、腕時計、置時計、計算機、テレビモニタ、フラットパネルディスプレイ、コンピュータ用モニタ、自動車の表示（例えば距離計表示など）、コックピット制御装置及び／またはディスプレイデバイス、カメラビューディスプレイデバイス（例えば自動車における後方視界カメラのディスプレイ）、電子写真、電子掲示板または電子看板、プロジェクタ、建築構造物、パッケージ、美的構造物（例えば、宝石片上への画像の表示）に実装されてもよいが、これに限定されるものではない。本明細書で説明したものに類似した構造のＥＭＳ装置を、電子スイッチデバイスのようなディスプレイ以外の応用にも用いることができる。
【００１２】
干渉ＥＭＳ表示素子を備える干渉変調器ディスプレイの一実施形態は、図１に示される。このような装置では、画素は明状態または暗状態のいずれかにある。明状態（「緩和状態」または「開状態」）では、表示素子は使用者に対して入射可視光の大部分を反射する。暗状態（「作動状態」または「閉状態」）では、表示素子は使用者に対して入射可視光をほとんど反射しない。実施形態に応じて、「オン状態」と「オフ状態」の光の反射率特性は反対でありうる。ＥＭＳ画素は黒及び白に加えて、カラーディスプレイが実現できるように選択された色を主に反射するように構成することもできる。
【００１３】
図１は視覚ディスプレイの一連の画素のうち二つの隣接した画素を示す等角図であり、それぞれの画素はＥＭＳ干渉変調器を備える。ある実施形態において、干渉変調器ディスプレイは、これらの干渉変調器の行／列アレイを備える。それぞれの干渉変調器は、少なくとも一つの可変な大きさを有する光学共振ギャップを形成するようにたがいに対して可変かつ制御可能な距離に位置させられる一対の反射層を含む。一実施形態において、反射層のうち一つは二つの位置の間を動くものでありうる。本明細書では緩和位置として称される第一の位置において、可動反射層は固定された部分的に反射性の層から相対的に大きな距離を取って位置させられる。本明細書では作動位置として称される第二の位置において、可動反射層は部分的に反射性の層とより近接して位置される。二つの層から反射された入射光は可動反射層の位置によって強めあいまたは弱めあって干渉し、それぞれの画素に対して全反射または非反射のいずれかの状態となる。
【００１４】
図１の画素アレイの示された部分は、二つの隣接した干渉変調器１２ａ、１２ｂを含む。左側に位置する干渉変調器１２ａでは、可動反射層１４ａが部分的に反射性の層を含む光学積層体１６ａから所定の距離で緩和位置にある状態が示されている。右側に位置する干渉変調器１２ｂでは、可動反射層１４ｂが光学積層体１６ｂに対して近接した作動位置にある状態が示されている。
【００１５】
光学積層体１６ａ、１６ｂ（まとめて光学積層体１６と称する）は、本明細書に示すように、典型的にはいくつかの融合した層を備え、融合した層はインジウムスズ酸化物（ＩＴＯ）のような電極層と、クロムのような部分的に反射性の層と、透明の誘電体と、を含んでもよい。従って光学積層体１６は導電性であり、部分的に透明かつ部分的に反射性である。また光学積層体１６は例えば、透明な基板２０上に上述の層の一つまたは複数を成膜することにより形成されうる。部分的に反射性の層は、様々な金属や半導体や誘電体のような部分的に反射性である様々な材料から形成することができる。部分的に反射性の層は、一つまたは複数の材料の層から形成することができ、層のそれぞれは単一の材料または複数の材料の組み合わせで形成されてもよい。
【００１６】
ある実施形態において、光学積層体１６の層は、平行な帯状にパターニングされ、さらに後述するようにディスプレイデバイスにおいて列電極を形成しうる。可動反射層１４ａ、１４ｂは成膜された金属の単一または複数の層の平行な一連の帯状（列電極１６ａ、１６ｂと直交する）として形成され、ポスト１８の頂部及びポスト１８の間に成膜された中間犠牲材料の上に成膜されて行を形成しうる。犠牲材料が除去されると、可動反射層１４ａ、１４ｂは光学積層体１６ａ、１６ｂから所定のギャップ１９だけ離隔される。アルミニウムのような導電性及び反射性の高い材料が反射層１４として用いられてもよく、このような帯状パターンはディスプレイデバイスの行電極を形成しうる。図１は必ずしも正しいスケールではないことに注意しなければならない。ある実施形態において、ポスト１８の間の間隔は１０〜１００μｍのオーダーであってよく、一方ギャップ１９は１０００Åよりも小さなオーダーでありうる。
【００１７】
電圧が印加されていない状態では、図１の画素１２ａに示されるように、ギャップ１９は可動反射層１４ａ及び光学積層体１６ａの間に存在し、可動反射層１４ａは機械的に緩和状態にある。しかしながら、電位差（電圧）が選択された行および列に印加されると、対応する画素の行電極と列電極との交差位置に形成されるキャパシタは充電され、静電引力が電極を互いに引き付ける。電圧が十分高いと、可動反射層１４は変形し、光学積層体１６に押し付けられる。図１の右側に位置する作動した画素１２ｂによって示されるように、光学積層体１６に含まれる誘電体層（この図には図示されない）は、層１４と１６の間のショートを防ぎ、層の間の離隔距離を制御しうる。印加された電位差の極性に係わらず、動作は同一である。
【００１８】
図２から図５は、ディスプレイへの応用における干渉変調器アレイを用いるための例示的な一プロセス及びシステムを示す。
【００１９】
図２は、干渉変調器を組み込みうる電子デバイスの一実施形態を示すシステムブロック図である。電子デバイスは、ＡＲＭ（登録商標）、Ｐｅｎｔｉｕｍ（登録商標）、８０５１、ＭＩＰＳ（登録商標）、Ｐｏｗｅｒ  ＰＣ（登録商標）またはＡＬＰＨＡ（登録商標）のようなどのような汎用の単一またはマルチチップマイクロプロセッサでもありうるプロセッサ２１、またはデジタル信号プロセッサ、マイクロコントローラやプログラマブルゲートアレイのようなどのような特殊用途のマイクロプロセッサでもありうるプロセッサを含む。当技術分野で従来用いられるように、プロセッサ２１は一つまたは複数のソフトウェアモジュールを実行するように構成されうる。オペレーティングシステムの実行に加えて、プロセッサはウェブブラウザ、電話アプリケーション、電子メールプログラム、またはその他どのようなソフトウェアアプリケーションであっても含む一つまたは複数のソフトウェアアプリケーションを実行するように構成されうる。
【００２０】
一実施形態において、プロセッサ２１はまたアレイドライバ２２と通信するように構成される。一実施形態において、アレイドライバ２２はディスプレイアレイまたはパネル３０へ信号を提供する行駆動回路２４及び列駆動回路２６を含む。図１に示されるアレイの断面図は、図２の１−１線で示される。図２は明瞭化のために、干渉変調器の３×３アレイを示しているが、ディスプレイアレイ３０は非常に多数の干渉変調器を備えていてもよく、列と比べて行が異なる数の干渉変調器を有しうる（例えば、行あたり３００画素、列あたり１９０画素）ことに注意しなければならない。
【００２１】
図３は、図１の干渉変調器の例示的な一実施形態において、印加される電圧に対する可動鏡の位置の図である。ＥＭＳ干渉変調器において、行／列作動プロトコルは、図３に示すようなこれらのデバイスのヒステリシス特性を利用しうる。干渉変調器は例えば、可動層を緩和状態から作動状態に変形させるために１０ボルトの電位差を必要としうる。しかしながら、その値から電圧を下げると、電圧が１０ボルト以下に落ちても可動層はその状態を保つ。図３の例示的な実施形態においては、可動層は電圧が２ボルト以下に下がるまで完全には緩和しない。従って図３に示された例においては約３Ｖから７Ｖの電圧範囲があり、そこではデバイスが緩和状態または作動状態のいずれかで安定であるような印加電圧のウィンドウが存在する。これを本明細書では、「ヒステリシスウィンドウ」または「安定ウィンドウ」と呼ぶ。図３のヒステリシス特性を有するディスプレイアレイにおいて、行／列作動プロトコルは、行のストローブの間、作動させるべきストローブされる行の画素に約１０ボルトの電圧が印加され、緩和させるべき画素に０ボルト近い電圧が印加されるように設計することができる。ストローブ後、画素には、画素が行ストローブによって置かれたどのような状態であれ維持するような、安定状態または約５ボルトのバイアス電圧が印加される。書き込み後、画素のそれぞれは、この例では３から７ボルトの「安定ウィンドウ」内の電位差におかれる。この特徴により、図１に示す画素の設計を、作動または緩和の既存状態のいずれかの状態で、同一の印加電圧状態で安定であるようにする。干渉変調器の画素それぞれは、作動状態であれ緩和状態であれ、本質的には固定反射層及び可動反射層によって形成されるキャパシタなので、この安定な状態はほとんど電力を散逸することなく、ヒステリシスウィンドウの範囲内の電圧において保持することができる。印加された電位が固定されていれば、本質的に画素へ電流が流入することはない。
【００２２】
さらに後述するように、典型的な応用例においては、画像のフレームは（それぞれ特定の電圧レベルを有する）データ信号のセットを、第一の行の作動される画素の所定のセットに従って列電極のセットに渡って送信することにより生成されうる。次いで、行パルスが第一の行電極に印加され、データ信号のセットに対応する画素を作動させる。次いで、データ信号のセットは第二の行の作動される画素の所定のセットに対応するように変更される。次いで、パルスが第二の行電極に印加され、データ信号に従って第二の行の適切な画素を作動する。画素の第一の行は第二の行パルスには影響されず、第一の行パルスで設定された状態を保つ。これが順に一連の行全体に対して繰り返され、フレームを生成しうる。一般に、毎秒ある所定のフレーム数についてこのプロセスを連続的に繰り返すことにより、フレームは新しい画像データに更新及び／または上書きされる。画像フレームを生成するために、画素アレイの行および列電極を駆動する幅広い様々なプロトコルが使用されうる。
【００２３】
図４及び図５は、干渉変調器アレイのような電気機械デバイスのアレイを駆動するのに用いることができる一つの作動プロトコルを示す。図４は、図３に示されるヒステリシス特性を示す変調器に対して用いられうる列及び行電圧レベルの利用可能な組み合わせを示す。図４（図５Ａも参照のこと）の実施形態において、５つあるいはそれより多くの可能な電圧が、特定のコモンラインを位置指定できるように、あるコモンライン（様々な実施形態において行または列のラインのどちらかでありうる）に沿って印加されてもよく、少なくとも二つの可能な電圧が、現時点で位置指定されたコモンラインへデータを書き込むセグメントラインに沿って印加されうる。
【００２４】
解放電圧ＶＣＲＥＬがコモンラインに沿って印加されると、セグメントラインに沿って印加される電圧に関わらず、コモンラインに沿った全ての干渉変調器素子が緩和状態、言い換えると解放状態または非作動状態に置かれる。従って、解放電圧ＶＣＲＥＬ、高いセグメント電圧ＶＳＨ及び低いセグメント電圧ＶＳＬが選択される。特に、解放電圧ＶＣＲＥＬがコモンラインに沿って印加されると、高いセグメント電圧ＶＳＨ及び低いセグメント電圧ＶＳＬが対応するセグメントラインに沿って印加されるときは共に、変調器に印加される電圧（言い換えれば、画素電圧）は緩和ウィンドウ（図３を参照、またリリースウィンドウとも呼ぶ）の範囲内にある。セグメント電圧範囲としても呼ばれる、高いセグメント電圧と低いセグメント電圧との間の差は、緩和ウィンドウの幅よりも小さい。
【００２５】
高い保持電圧ＶＣＨＯＬＤ＿Ｈあるいは低い保持電圧ＶＣＨＯＬＤ＿Ｌのような保持電圧がコモンラインに印加されると、干渉変調器の状態は一定状態を保つ。ＶＣＨＯＬＤ＿Ｈ及びＶＣＨＯＬＤ＿Ｌはまた、それぞれ正及び負のホールド電圧とも呼ばれうる。緩和された変調器は緩和位置にとどまり、作動された変調器は作動位置にとどまる。高いセグメント電圧ＶＳＨ及び低いセグメント電圧ＶＳＬが対応するセグメントラインに沿って印加されるときはともに、画素電圧が干渉変調器の安定ウィンドウの範囲内にとどまるように、保持電圧が選択される。従ってセグメント電圧範囲は正の安定ウィンドウまたは負の安定ウィンドウのいずれかの幅よりも小さい。
【００２６】
高い位置指定電圧ＶＣＡＤＤ＿Ｈまたは低い位置指定電圧ＶＣＡＤＤ＿Ｌのような位置指定電圧がコモンラインに印加されると、それぞれのセグメントラインに沿ったセグメント電圧の印加によって、データをそのラインに沿った変調器へ選択的に書き込むことができる。ＶＣＡＤＤ＿Ｈ及びＶＣＡＤＤ＿Ｌはまた、それぞれ正及び負の位置指定電圧とも呼ばれうる。コモンラインに位置指定電圧が印加されるときに、セグメントラインに沿ってセグメント電圧の一つが印加されると画素電圧が安定ウィンドウの範囲内にあり、他の電圧が印加されると画素電圧が安定ウィンドウを超えて画素の作動を引き起こすように、位置指定電圧が選択される。作動を引き起こす具体的なセグメント電圧は、どの位置指定電圧が用いられるかによって変化する。高い位置指定電圧ＶＣＡＤＤ＿Ｈがコモンラインに沿って印加されると、高いセグメント電圧ＶＳＨが印加されれば変調器は現在の位置を保ち、一方低いセグメント電圧ＶＳＬが印加されれば変調器は作動する。低い位置指定電圧ＶＣＡＤＤ＿Ｌが印加されるときにはセグメント電圧の効果は反対となり、高いセグメント電圧ＶＳＨで変調器は作動し、低いセグメント電圧ＶＳＬは変調器の状態に影響を及ぼさない。
【００２７】
特定の実施形態において、高い保持電圧または低い保持電圧及び高い位置指定電圧または低い位置指定電圧のいずれか一方だけが用いられうる。しかしながら、正及び負の保持電圧および位置指定電圧の両方を用いると、書き込み処理の極性を入れ替えることができ、単一の極性のみの書き込み動作の後に生じる可能性のある電荷蓄積を抑制することができる。
【００２８】
図５Ｂは、図２の３×３アレイへ印加され、図５Ａに示す配列表示となる一連のコモン電圧およびセグメント電圧信号を示すタイミング図である。ここでは、作動した変調器は非反射性であり、暗色として示されている。図５Ａに示されるフレームの書き込みに先立って、画素はどのような状態でもよいが、コモンラインの位置指定に先立って、図５Ｂのタイミング図に示される書き込み処理によって、コモンラインのそれぞれの変調器は解放される。
【００２９】
第一のライン時間６０ａにおいて、コモンライン１、２、３のいずれも位置指定されていない。解放電圧７０がコモンライン１に印加される。コモンライン２に印加される電圧は初めは高い保持電圧７２であり、その後解放電圧７０に変化する。低い保持電圧７６がコモンライン３に沿って印加される。従って、コモンライン１に沿った変調器（１，１）、（１，２）、（１，３）は第一のライン時間６０ａが続く間緩和状態を維持し、コモンライン２に沿った変調器（２，１）、（２，２）、（２，３）は緩和状態に移行し、コモンライン３に沿った変調器（３，１）、（３，２）、（３，３）は以前の状態を保つ。コモンライン１、２、３、のどれもライン時間６０ａの間位置指定されないので、セグメントライン１、２、３に沿って印加されるセグメント電圧は干渉変調器の状態に影響を及ぼさない。
【００３０】
第二のライン時間６０ｂの間、コモンライン１の電圧は高い保持電圧７２に移行し、コモンライン１に沿った変調器は全て、印加されるセグメント電圧に関わらず緩和状態を保つ。コモンライン２に沿った変調器は緩和状態を保ち、コモンライン３の電圧が解放電圧７０に移行するとコモンライン３に沿った変調器（３，１）、（３，２）、（３，３）は緩和する。
【００３１】
第三のライン時間６０ｃの間、コモンライン１に高い位置指定電圧７４が印加されてコモンライン１が位置指定される。低いセグメント電圧６４がこの位置指定電圧の印加の間セグメントライン１、２に印加されるため、変調器（１，１）、（１，２）にかかる画素電圧は変調器の正の安定ウィンドウよりも大きく、変調器（１，１）、（１，２）は作動する。高いセグメント電圧６２がセグメントライン３に沿って印加されているので、変調器（１，３）の画素電圧は変調器（１，１）、（１，２）の画素電圧よりも低く、変調器の正の安定ウィンドウ内にある。従って変調器（１，３）は緩和状態を保つ。またライン時間６０ｃの間、コモンライン２の電圧は低い保持電圧７６に低下し、コモンライン３の電圧は解放電圧を維持して、コモンライン２、３に沿った変調器は緩和位置のままである。
【００３２】
第四のライン時間６０ｄの間、コモンライン１の電圧は高い保持電圧７２であり、コモンライン１に沿った変調器はそれぞれ位置指定された状態のままである。ここで、コモンライン２は、コモンライン２の電圧を低い位置指定電圧７８に下げることによって位置指定される。高いセグメント電圧６２がセグメントライン２に沿って印加されるので、変調器（２，２）の画素電圧は変調器の負の安定ウィンドウより低くなり、変調器（２，２）は作動する。低いセグメント電圧６４がセグメントライン１、３に沿って印加されるので、変調器（２，１）、（２，３）は緩和位置を維持する。コモンライン３の電圧は高い保持電圧７２に上昇し、コモンライン３に沿った変調器は緩和状態のままである。
【００３３】
最後に、第五のライン時間６０ｅの間、コモンライン１の電圧は高い保持電圧７２を維持し、コモンライン２の電圧は低い保持電圧を維持し、コモンライン１、２に沿った変調器はそれぞれの位置指定された状態のままである。コモンライン３の電圧は、コモンライン３に沿った変調器を位置指定するために高い位置指定電圧に上昇する。低いセグメント電圧６４がセグメントライン２、３に印加されているので、変調器（３，２）、（３，３）は作動し、その一方セグメントライン１に沿って印加される高いセグメント電圧６２によって変調器（３，１）は緩和位置を維持する。従って、第５の保持時間６０ｅの終了時には、３×３画素アレイは図５Ａに示す状態となり、（図示されない）他のコモンラインに沿った変調器が位置指定される際に発生しうるセグメント電圧の変化に関わらず、保持電圧がコモンラインに沿って印加されている限りはその状態を保つ。
【００３４】
図５Ｂのタイミング図において、ある書き込み手順は高い保持電圧及び高い位置指定電圧、または低い保持電圧及び低い位置指定電圧のいずれかを使用することを含むことがわかる。高いまたは低い保持電圧が印加されると、画素電圧はある安定ウィンドウの範囲内または超えた領域の状態を維持し、解放電圧が印加されるまでは緩和ウィンドウを通過しない。さらに、それぞれの変調器が変調器の位置指定に先立って書き込み手順の一部として解放されるので、変調器の解放時間よりむしろ作動時間の方が必要なライン時間を決定する。変調器の解放時間が作動時間よりも長いような実施形態においては、図５Ｂに示されるように、解放電圧は単一のライン時間よりも長く印加され得る。さらなる実施形態においては、コモンラインまたはセグメントラインに沿って印加される電圧は、異なる色の変調器のような、異なる変調器の作動電圧及び解放電圧における差異を考慮して変更されうる。
【００３５】
図６Ａ及び図６Ｂはディスプレイデバイス４０の実施形態を示すシステムブロック図である。ディスプレイデバイス４０は、例えば、携帯電話であってよい。しかしながら、ディスプレイデバイス４０の同一の部品又はそのわずかに変更されたものが、テレビや携帯メディアプレイヤーのような様々な型のディスプレイデバイスの例とすることもできる。
【００３６】
ディスプレイデバイス４０は筐体４１と、ディスプレイ３０と、アンテナ４３と、スピーカー４５と、入力装置４８と、マイク４６とを含む。筐体４１は一般に、射出成型や真空成型を含む様々などのような製造方法によって形成されてもよい。加えて、筐体４１はプラスチック、金属、ガラス、ゴム、セラミック、またはそれらを組み合わせた材料を含む様々などのような材料からも形成されうるが、上記の材料に限定されることはない。一実施形態において、筐体４１は種々の色や種々のロゴ、絵又はシンボルを含む他の取り外し可能な部品と交換しうる（図示しない）取り外し可能な部品を含む。
【００３７】
例示的なディスプレイデバイス４０のディスプレイ３０は、本明細書で説明するように、２状態安定ディスプレイを含む様々などのようなディスプレイでもありうる。他の実施形態において、ディスプレイ３０は上述したようなプラズマ、ＥＬ、ＯＬＥＤ，ＳＴＮ液晶またはＴＦＴ液晶のようなフラットパネルディスプレイを含み、またはＣＲＴやその他のブラウン管装置のような非平面パネルディスプレイを含む。しかしながら、本実施形態を説明する目的のため、ディスプレイ３０は本明細書で説明するように、干渉変調器ディスプレイを含む。
【００３８】
例示的なディスプレイデバイス４０の一実施形態の構成要素が、図６Ｂに概略的に示される。本明細書に示された例示的なディスプレイデバイス４０は筐体４１を含み、少なくとも部分的にその中に格納された追加的な部品を含んでもよい。例えば、一実施形態において、例示的なディスプレイデバイス４０は送受信部４７と結合されたアンテナ４３を含むネットワークインターフェース２７を含む。送受信部４７はプロセッサ２１に接続され、プロセッサ２１は調整用ハードウェア５２に接続される。調整用ハードウェア５２は信号を調整する（例えば、信号をフィルタリングする）ように構成されうる。調整用ハードウェア５２はスピーカー４５及びマイク４６に接続される。プロセッサ２１はまた入力装置４８およびドライバコントローラ２９に接続される。ドライバコントローラ２９はフレームバッファ２８及びアレイドライバ２２に接続され、アレイドライバ２２は次にはディスプレイアレイ３０に結合される。電源部５０は特定の例示的なディスプレイデバイス４０の設計によって要求される全ての部品へ電力を供給する。
【００３９】
ネットワークインターフェース２７は例示的なディスプレイデバイス４０がネットワークを介して一つまたは複数の装置と通信できるように、アンテナ４３及び送受信部４７を含む。一実施形態において、ネットワークインターフェース２７はまたプロセッサ２１の要求を補助する何らかの処理能力を有しうる。アンテナ４３は信号を送信し、受信するどのようなアンテナでもよい。一実施形態において、アンテナはＩＥＥＥ８０２．１１（ａ）、（ｂ）、（ｇ）を含むＩＥＥＥ８０２．１１規格に従ったＲＦ信号を送受信する。他の一実施形態において、アンテナはブルートゥース規格に従ったＲＦ信号を送受信する。携帯電話の場合、アンテナはＣＤＭＡ、ＧＳＭ、ＡＭＰＳ、Ｗ−ＣＤＭＡまたは無線携帯電話ネットワーク内で通信するために用いられるその他の既知の信号を受信するように設計される。送受信部４７はアンテナ４３から受け取った信号を、プロセッサ２１が受け取り、さらに取り扱いうるように事前処理する。送受信部４７はまたアンテナ４３を介して例示的なディスプレイデバイス４０から送信しうるように、プロセッサ２１から受け取った信号を処理する。
【００４０】
代替的な一実施形態において、送受信部４７は受信部によって置き換えることもできる。またさらに他の代替的な一実施形態において、ネットワークインターフェース２７はプロセッサ２１に送信する画像データを蓄積し、または生成することができる画像供給源によって置き換えることができる。例えば、画像供給源は画像データまたは画像データを生成するソフトウェアモジュールを格納するデジタルビデオディスク（ＤＶＤ）またはハードディスクドライブであってよい。
【００４１】
プロセッサ２１は一般に例示的なディスプレイデバイス４０の全ての動作を制御する。プロセッサ２１はネットワークインターフェース２７や画像供給源からの圧縮された画像データのようなデータを受け取り、データを元画像データまたは元画像データに事前に処理されたフォーマットに処理する。次いでプロセッサ２１は処理されたデータをドライバコントローラ２９または蓄積のためのフレームバッファ２８に送信する。典型的には元画像データは画像内のそれぞれの位置における画像特性を特定する情報を参照する。例えば、そのような画像特性は色、彩度、階調を含むことができる。
【００４２】
一実施形態において、プロセッサ２１は例示的なディスプレイデバイス４０の動作を制御するマイクロコントローラ、ＣＰＵ、又は論理ユニットを含む。調整用ハードウェア５２は一般にスピーカー４５へ送信する信号及びマイク４６から受信する信号の増幅及びフィルタを含む。調整用ハードウェア５２は例示的なディスプレイデバイス４０に内蔵される独立した部品でありえ、または、プロセッサ２１またはその他の部品内に組み込まれうる。
【００４３】
ドライバコントローラ２９はプロセッサ２１によって生成された元画像データをプロセッサ２１から直接またはフレームバッファ２８のどちらかから取得し、元画像データをアレイドライバ２２への高速転送に適するように再変換する。具体的に、ドライバコントローラ２９は元画像データをディスプレイアレイ３０に渡って走査するのに適した時間順を有するようなラスター状フォーマットを有するデータフローに変換する。次いで、ドライバコントローラ２９は変換された情報をアレイドライバ２２に送信する。ＬＣＤコントローラのようなドライバコントローラ２９は、しばしば独立した集積回路（ＩＣ）としてシステムプロセッサ２１と協働し、そのようなコントローラは様々な方法で実装されうる。それらはプロセッサ２１内にハードウェアとして埋め込まれてもよく、プロセッサ２１内にソフトウェアとして埋め込まれてもよい。またアレイドライバ２２とともにハードウェア内に完全に統合されてもよい。
【００４４】
典型的には、アレイドライバ２２はフォーマットされた情報をドライバコントローラ２９から受け取り、ビデオデータを波形の並列なセットに変換する。この波形のセットはディスプレイのｘｙ画素行列から延びる何百の、時には何千のリード線に一秒あたり何度も適用される。
【００４５】
一実施形態において、ドライバコントローラ２９、アレイドライバ２２およびディスプレイアレイ３０は本明細書に示されるどのようなタイプのディスプレイにも適用可能である。例えば、一実施形態において、ドライバコントローラ２９は従来のディスプレイコントローラであるか、又は２状態安定ディスプレイのコントローラ（例えば、干渉変調器コントローラ）である。他の一実施形態において、アレイドライバ２２は従来のドライバであるか、又は２状態安定ディスプレイのドライバ（例えば、干渉変調器ディスプレイ）である。一実施形態において、ドライバコントローラ２９はアレイドライバ２２に統合される。そのような実施形態は、携帯電話、腕時計及びその他の面積の小さなディスプレイのような高度に統合されたシステムでは一般的である。また他の一実施形態において、ディスプレイアレイ３０は典型的なディスプレイアレイであるか、又は２状態安定ディスプレイアレイ（例えば、干渉変調器アレイを含むディスプレイ）である。
【００４６】
入力装置４８によって、使用者は例示的なディスプレイデバイス４０の操作を制御することができる。一実施形態において、入力装置４８はＱＷＥＲＴＹキーボードや電話のキーパッドのようなキーパッド、ボタン、スイッチ、タッチパネル、感圧または感熱メンブレンを含む。一実施形態において、マイク４６は例示的なディスプレイデバイス４０に対する入力装置である。マイク４６が装置に対してデータを入力するように用いられるときには、声による命令が例示的なディスプレイデバイス４０の操作を制御するために使用者から提供されうる。
【００４７】
電源部５０は当技術分野でよく知られた様々なエネルギー貯蔵装置を含むことができる。例えば、一実施形態において、電源部５０はニッケルカドミウム電池やリチウムイオン電池のような充電池である。他の一実施形態において、電源部５０は再生可能エネルギー源、キャパシタ、またはプラスチック太陽電池及び塗布型太陽電池を含む太陽電池である。他の一実施形態において、電源部５０はコンセントから電力を受電するように構成される。
【００４８】
ある実装において、上述のように、電子ディスプレイシステムのいくつかの場所に位置させることができるドライバコントローラ内に、制御プログラミング機能が存在する。ある場合には、制御プログラミング機能はアレイドライバ２２内に存在する。上述した最適化は、どのような数のハードウェア及び／またはソフトウェア部品に実装されてもよく、様々な構成で実装されうる。
【００４９】
上述した原理に従って動作する干渉変調器の構造の詳細は、幅広く変形しうる。例えば、図７Ａから図７Ｅは、可動反射層１４及びその支持構造の５つの異なる実施形態を示す。図７Ａは図１の実施形態の断面図であり、帯状の金属材料１４は支持部１８の延長線と直交して成膜される。図７Ｂにおいて、干渉変調器それぞれの可動反射層１４は正方形または長方形であり、頂点の部分のみで、テザー３２で支持されて取り付けられる。図７Ｃにおいて、可動反射層１４は正方形または長方形であり、柔軟な金属からなりうるような変形層３４から吊り下げられる。変形層３４はその辺縁部において基板２０と直接または間接に接続する。これらの接続は本明細書では支持ポストとして参照される。図７Ｄに示された実施形態は、支持ポストプラグ４２を有し、その上に変形層３４が載せられる。可動反射層１４は図７Ａから図７Ｃに示すようにギャップ上に吊り下げられて保持されるが、変形層３４は、変形層３４と光学積層体１６の間の穴を埋めることによって支持ポストを形成することはない。むしろ、支持ポストは支持ポストプラグ４２を形成するのに用いられる平面状の材料から形成される。図７Ｅに示される実施形態は、図７Ｄに示される実施形態に基づいているが、図示されない追加的な実施形態と同様に図７Ａから図７Ｃに示された実施形態のどれとも協働するように適用しうる。図７Ｅに示された実施形態において、金属またはその他の導電性材料からなる追加的な層が、バス構造４４を形成するのに用いられる。これにより、信号は干渉変調器の背後に沿って引き回され、そうでなければ基板２０上に形成されなければならなかったような電極の数を低減することができる。
【００５０】
図７に示されるような実施形態において、干渉変調器は直視デバイスとして機能する。そこでは変調器が配置されるのとは反対の側である、透明の基板２０の前面から画像を見る。これらの実施形態において、反射層１４は、変形層３４を含む基板２０と反対の反射層の側において干渉変調器の一部を光学的に遮蔽する。これによって、遮蔽された領域を画質に悪影響を与えることなく構成し、動作することができる。例えば、このような遮蔽により図７Ｅに示すようなバス構造４４が可能となり、位置指定と位置指定の結果生じる動作のような、変調器の電気機械的な特性から変調器の光学特性を分離することができるようになる。この変調器の構成の分離により、変調器の電気機械的側面と光学側面のために用いられる構造設計及び材料を互いに独立して選択し、機能させることができるようになる。さらには、図７Ｃから図７Ｅに示される実施形態は、変形層３４によってもたらされる機械的な特性から反射層１４の光学的な特性を切り離すことにより引き出すことのできる追加的な利点を有する。このことにより、反射層１４に用いられる構造設計及び材料を光学的な特性に関して最適化し、変形層３４に用いられる構造設計及び材料を所望の機械的な特性に関して最適化することができるようになる。
【００５１】
本発明の実施形態のうちいくつかは、コモンラインに対する更新スケジュールまたは順序を選択する装置及び方法に関する。ディスプレイを更新する際には、消費電力のかなりの量が、セグメントラインの電圧レベルを変更するために費やされうる。そのため、電力の消費を低減するために、セグメントラインの電圧切り替えの量を減少させることが望ましいものでありうる。後述するように、コモンラインの更新順序の操作によって、セグメントラインの電圧切り替えの量を減少させることが可能でありうる。
【００５２】
図８は、ディスプレイ装置８００の実施形態を示すシステムブロック図である。図８の特定の要素は、図６Ｂの対応する素子と類似している。特に、ホスト８１０は、プロセッサ２１、ドライバコントローラ２９及び調整用ハードウェア５２の機能を含みうる。さらに、バッファ８２０はフレームバッファ２８と、機能の点で類似し、ドライバ８３０はアレイドライバ２２と類似し、ディスプレイ素子８７０はディスプレイアレイ３０に類似している。機能の点で、ホスト８１０は表示データを受け取り、バッファ８２０に表示データを送信する。ドライバ８３０が表示データを表示する準備ができるまで、バッファ８２０はホスト８１０からの表示データを蓄積する。ドライバ８３０は、バッファ８２０から表示データを回収し、ディスプレイ素子８７０に、表示データを表示させる。一実施形態において、ディスプレイ素子８７０は、行および列に整列された複数のＥＭＳデバイスである。この配置は、図２及びそれに関する説明に示された行および列に類似している。上述のように、行はコモンラインとして参照され、列はセグメントラインとして参照されうる。ドライバ８３０は、プロセッサ８４０、メモリ８５０、更新スケジューラ８６０を備える。一実施形態において、更新スケジューラ８６０は、プロセッサ８４０及びメモリ８５０と共に動作してバッファ８２０から表示データを回収し、表示データでディスプレイ素子８７０を更新させる。後述するように、更新スケジューラ８６０は、ディスプレイ素子８７０の行が更新される順序を再配置しうる。例えば、ホスト８１０は、表示データをバッファ８２０に、順に表示データの最初の行から最後の行までのような特定の順序で配置しうるが、更新スケジューラ８６０は表示データがディスプレイ素子８７０上に表示される順序を入れ替えうる。一実施形態において、更新スケジューラは、表示データの更新スケジュールを動的に再配置しうる。他の一実施形態において、更新順序は予め定められ、ディスプレイ装置の複数のまたはすべての更新に対して用いられうる。好適には、選択的な順序の再配置は、ディスプレイ装置８００の電力消費を低減することになりうる。
【００５３】
ディスプレイ装置８００の構成要素は機能的に分離して示されたが、一つまたは複数のホスト８１０、バッファ８２０及びドライバ８３０は、処理能力やメモリ能力のような共通の物理的資源を共有しうる。さらに、更新スケジューラ８６０はドライバ８３０の部品として示されたが、更新スケジューラの機能も同様にホスト８１０の内部に実装されうる。例えば、バッファ８２０から回収された表示データに対して、ドライバ８３０によって順序の再配置がなされるよりも、ホスト８１０がバッファ８２０に表示データを蓄積するのに先立って表示データの順序を再配置しうる。
【００５４】
図９は、コモンラインの電圧波形９１０を、時間とともに変化する波形９１０として示した例示的なタイミング図である。コモンラインは、図８のディスプレイ素子８７０の行に対応しうる。図５Ｂに関して上述したように、コモンラインの電圧レベルは、複数の電圧レベルの間で変化しうる。これらの電圧は、負の位置指定電圧、負のホールド電圧、グランド電圧、正のホールド電圧、及び正の位置指定電圧を含みうる。波形９１０が電圧レベルの間で変化する時刻Ｔ１とＴ２の間の期間は、第一の更新期間９１１として参照されうる。同様に、波形が電圧レベルの間で変化する時刻Ｔ３とＴ４の間の期間は、第二の更新期間９１２として参照されうる。第一の更新期間９１１の間、波形９１０は波形区間９１４によって示される負のホールド電圧で始まる。しかしながら、第一の更新期間９１１の間に用いられる位置指定電圧レベルは、波形区間９１５に示されるように、正の位置指定電圧である。コモンラインのそれぞれは、更新期間の間、特定の極性を有するとして参照されうる。正の位置指定電圧が、更新期間の間コモンラインにおいて用いられる場合、コモンラインの極性は、本明細書において正であるとして説明される。さらに、負の位置指定電圧レベルが更新期間の間コモンにおいて用いられる場合、コモンラインの極性は、本明細書において負であるとして説明される。そのため、第一の更新期間９１１の間、コモンラインは正の極性を有するとして説明されうる。同様に、第二の更新期間９１２の間、波形９１０は波形区間９１６によって示されるように正のホールド電圧レベルで始まる。第二の更新期間の間、波形区間９１７によって示されるように、負の位置指定電圧レベルが用いられる。従って、第二の更新期間９１２の間、コモンラインは負の極性を有するとして参照されうる。極性に加えて、コモンラインのそれぞれはまた、赤、緑または青のような色と関連付けられうる。例えば、特定の行の干渉変調器は、赤色に対応する波長のような特定の波長の光を反射または吸収するように形成され、制御されうる。一実施形態において、後述するように、ディスプレイ装置の行が更新される順序は、極性及び色のような、ディスプレイ装置のコモンラインの特性に基づいて決定されうる。好適には、修正された更新順序は、セグメントラインの電圧変更の量を減少させることによって電力消費を低減しうる。
【００５５】
図１０は、図８のディスプレイ素子の一部を示すシステムブロック図１０００である。本明細書で説明されるように、改善された更新順序は、更新区域および更新区域に含まれる更新グループを利用しうる。図１０は更新区域を示す。図１１から１３は、更新区域に含まれる更新グループを示す。更新区域は、視覚的アーティファクト現象の量及び重大度を限定する一方で、改善された更新順序を簡素化する助けとなる。図８に関連して上述したように、表示される表示データは、ディスプレイ素子８７０に書き込まれる前にバッファ８２０に蓄積される。バッファ８２０は有限な容量を有しており、同時にメモリ内に更新に要する全てのデータを蓄積できないこともある。むしろ、表示データの限られた量のみが、バッファ８２０においてどの与えられた時間でも利用可能でありうる。そのため、例えコモンラインの特定のペアにデータを順に書き込むのが有益であるとしても、もし特定の一対のコモンラインそれぞれに対するデータがバッファ８２０内になければ、そのようにすることは視覚的アーティファクト現象やティアリング現象を引き起こしうる。特に、ドライバ８３０がバッファ８２０から表示データを取り込もうとするときにコモンラインに対して更新された表示データが利用できない場合、正しくない表示データが回収され、コモンラインに表示されうる。視覚的には、これは観察者に対して表示された画像がティアリングのように見えうる。好適には、後述するように、更新区域はティアリング現象のような視覚的アーティファクト現象を避けるために用いられうる。模式図１０００は、複数のセグメントライン１００５を示す。楕円括弧によって示されるように、セグメントライン１００５はディスプレイ装置全体のセグメントラインの単に一部分を構成するのみでありうる。模式図１０００はまた、コモンライン１０３０、１０３５、１０４０、１０４５、１０５０及び１０５５のような複数のコモンラインを示す。図に示すように、それぞれのコモンラインは色及び極性と関連付けられうる。例えば、コモンライン１０３０は、赤色及び特定の更新期間において正の極性に関連付けられうる。同様に、コモンライン１０３５は緑色及び同じ更新期間において正の極性に関連付けられうる。コモンラインにおいて他の極性パターンが可能である。例えば、３つのコモンライン、つまり正のライン１０３０、１０３５、１０４０及び負の１０４５、１５０、１５５の全ての極性を切り替えるよりも、コモンラインの極性は全てのコモンライン、全ての他のコモンライン、ライン間で無作為に、あるいはその他の方式に従って切り替えることが可能である。
【００５６】
コモンラインは、第一の更新区域１０１０及び第２の更新区域１０１５のような更新区域にグループ化されうる。それぞれの更新区域は、複数のコモンラインを含みうる。一実施形態において、それぞれの更新区域は、約３０のコモンラインを備える。他の一実施形態において、それぞれの更新区域は、コモンラインに関連付けられうる赤、緑及び青の三色のような色の数の倍数であるような数のコモンラインを備える。他の一実施形態において、一更新区域内のコモンラインの数は、コモンラインに関連付けられうる上述した正及び負の二つの極性のような極性の数の倍数でありうる。他の一実施形態において、一更新区域内のコモンラインの数は、色の数及び極性の数の両方の倍数でありうる。他の一実施形態において、一更新区域内のコモンラインの数は、区域内のコモンラインの数が、更新される表示データがバッファ内で利用可能であるようなラインの数に比例するように選択されうる。
【００５７】
一実施形態において、一更新区域のコモンラインは順番に並んだものでありうる。例えば、図示されるように、更新区域は、コモンライン１０３０、１０３５、１０４０、など順に並んだ最後のコモンラインまでを備えうる。代替的な一実施形態において、更新区域は順番に並ばないコモンラインを備えうる。例えば、更新はディスプレイ装置内のコモンラインのある所定の一部について、他の全てのコモンラインを備えうる。他のグループ化も可能である。しかしながら、説明のため、更新区域は順番に並べられたコモンラインを備えるものとして説明される。後述するように、一実施形態において、コモンラインの順序の再配置は、一更新区域内のコモンラインのそれぞれが他の一更新区域のコモンラインの前に更新されるように配置される。例えば、第一の更新区域１０１０内のそれぞれのコモンライン、例えば１０３０、１０３５、１０４０などは、第二の更新区域１０１５のどのコモンラインが更新されるよりも前に更新されうる。好適には、順序再配置を現在の更新区域内のコモンラインに限定すること及び適切な更新区域の大きさを選択することにより、古く間違った表示データを取り出すという問題を減少させることができる。例えば、更新される表示データのうち３０よりも多いラインがバッファ内に保存され、一更新区域が約３０のラインを備える場合には、ティアリング現象やその他のアーティファクト現象なく更新区域内のどの対のコモンラインも更新することができうる。第一の更新区域１０１０内のそれぞれのコモンラインを更新したのち、第二の更新区域１０１５のような後続の更新区域内のそれぞれのコモンラインが更新されうる。このように、更新区域ごとに、ディスプレイ装置全体が更新されうる。
【００５８】
図１１Ａ及び１１Ｂは、図８のディスプレイ素子の一部に対する、例示的な更新スケジュールを示す。図１１Ａ及び図１１Ｂは、複数のコモンラインを有する更新区域１１１０を示す。複数のセグメントライン１１１５も示されている。上述のように、ディスプレイ素子装置のコモンラインは、更新区域１１１０のような複数の更新区域に論理的に分離されうる。更新区域のそれぞれは、さらに複数の更新グループに論理的に分離されうる。更新グループは、類似した特性を有する更新区域内の一つまたは複数のコモンラインを備える。図１１Ａには、第一の更新グループ１１２５が示されている。図に示されるように、第一の更新グループ１１２５は、更新区域１１１０内の、同一の、正の極性を有する全てのコモンラインを備える。図１１Ｂには、第二の更新グループ１１３５が示されている。第二の更新グループ１１３５は、更新区域内の同一の、負の極性を有する全てのコモンラインを備える。一実施形態において、更新区域１１１０内のコモンラインに対する更新順序は、第二の更新グループ１１３５のコモンラインのどれよりも前に第一の更新グループ１１２５内のコモンラインのそれぞれが更新されるように配置される。上述のように、セグメントライン１１１５に印加される電圧を切り替える際にかなりのエネルギー量が消費される。従って、コモンラインの更新の間、セグメントラインになされる電圧の切り替えの量を最小化するような順序でコモンラインを更新することは好適である。特に、最後のコモンラインの更新が次のコモンラインの更新と類似したセグメントライン電圧を用いる可能性を増大させるようなコモンラインの更新の順序を選択することは好適である。一実施形態において、このことは、本明細書において説明される特性の種類を共有する更新グループにコモンラインをグルーピングすることによって達成されうる。例えば、二つのコモンラインが一回の更新の間、同一の極性を共有する場合、特定のセグメントラインに対する電圧を、二つのコモンラインのそれぞれを連続的に更新する際に変更する必要がないような可能性が増す。そのため、更新の間消費される電力が減少しうる。それぞれの更新グループに含まれるコモンラインは、順番に、無作為順に、またはその他の順序に従って更新されうる。例えば、一更新グループ内のコモンラインを分析し、セグメント電圧の変更の回数を最小化するグループ内の更新順序を決定することが可能でありうる。この動作は、更新スケジューラによってなされうる。
【００５９】
図１２Ａ及び図１２Ｂは、図８のディスプレイ素子の一部に関する他の一例示的な更新スケジュールを示す。図１２Ａ及び図１２Ｂは、複数のコモンラインを有する更新区域１２１０を示す。複数のセグメントライン１２１５も示されている。図１２Ａには、第一の更新グループ１２２５が示されている。図示されるように、第一の更新グループ１２２５は、更新区域１２１０内の同一の赤色を有する全てのコモンラインを備える。図１２Ｂには、第二の更新グループ１２３５が示されている。第二の更新グループ１２３５は、更新区域内の同一の緑色を有する全てのコモンラインを備える。図示されていないが、更新区域１２１０はまた、更新セクション１２１０内の同一の青色を有する全てのコモンラインを備える第三の更新グループを含みうる。上述したように、更新グループを選択する順序及び更新グループ内のコモンラインを更新する順序は、本明細書において示され、説明された順序から変更されうる。上述した極性の例によれば、２つのコモンラインが同一の色を共有する場合、二つのコモンラインを連続的に更新する際に特定のセグメントラインにおける電圧が同一のままとなる可能性が増す。そのため、更新の間消費される電力が減少しうる。
【００６０】
図１３Ａ及び図１３Ｂは、図８のディスプレイ素子の一部に対する他の一例示的な更新スケジュールを示す。図１３Ａ及び図１３Ｂは、複数のコモンラインを有する更新区域１３１０を示す。複数のセグメントライン１３１５も示されている。図１３Ａには、第一の更新グループ１３２５が示されている。図示されるように、第一の更新グループ１３２５は、更新区域１３１０内の同一の赤色及び正の極性を有する全てのコモンラインを備える。図１３Ｂには、第二の更新グループ１３３５が示されている。第二の更新グループ１３３５は、更新区域１３１０内の同一の緑色及び正の極性を有する全てのコモンラインを備える。図示されていないが、更新区域１３１０はまた、色及び極性の残りの組み合わせ（赤色と負、緑色と負、青色と正及び負）を備える更新グループも含みうる。上述のように、更新グループを選択する順序及び更新グループ内のコモンラインを更新する順序は、本明細書において示され説明された順序から変更されうる。上述した単なる極性及び単なる色の例のように、二つのコモンラインが同一の色及び極性を共有する場合、二つのコモンラインを連続的に更新する際に特定のセグメントラインに対する電圧が同一の状態を保つ可能性が増大する。そのため、更新の間消費される電力が減少しうる。
【００６１】
図１４は、図８のディスプレイ素子を更新するプロセス１４００の一実施形態のフロー図である。初めに、段階１４０５に示すように、更新区域が更新のために選択される。選択された更新区域は、現在の更新区域として参照されうる。上述のように、更新区域は、例えば、約３０のコモンラインのセットのように予め規定されうる。また、更新区域は、ホストおよびドライバの処理容量または表示データを保持するバッファの大きさ及び状態に基づいて、動的に決定されうる。更新区域が選択された後、段階１４１０に示されるように、現在の更新区域内の更新グループが選択される。選択された更新グループはまた、現在の更新グループとして参照されうる。上述のように、更新グループは一つまたは複数の類似した特性を有する現在の更新区域内の一つまたは複数のコモンラインを備えうる。例えば、同一の極性、色またはその両方を有するそれぞれのコモンラインが一つの更新グループを形成しうる。現在の更新グループの選択の後、段階１４１５に示されるように、更新グループ内のそれぞれのコモンラインが更新される。上述のように、それぞれの更新グループ内のコモンラインは順番で、無作為の順序で、電力消費を低減するように選択された順序で、またはその他の順序で更新されうる。いくつかの駆動方式において、特定のコモンラインは更新されるのではなく飛ばされることさえもありうる。現在の更新グループのコモンラインが更新された後、段階１４２０に示されるように、現在の更新区域内で更新されるべき追加の更新グループがあるか否かが判断される。もしあるならば、プロセス１４００は段階１４１０に戻って現在の更新区域内の新しい更新グループが選択される。もしないならば、プロセス１４００は段階１４２５に進んで、更新されるべき追加の更新セクションが残っているか否かについて判断がなされる。もしあるならば、プロセス１４００は段階１４０５に戻って新しい更新区域が選択される。もしないならば、ディスプレイ全体が更新されたことになり、図示されるようにプロセス１４００は停止する。好適には、プロセス１４００は、コモンラインが、更新の間、セグメントラインの電圧を切り替える回数を減少させるような順序で更新される可能性を増し、そのため更新プロセスにおける電力消費を低減する。
【符号の説明】
【００６２】
１２ａ、１２ｂ  干渉変調器
１４ａ、１４ｂ  可動反射層
１６ａ、１６ｂ  光学積層体
１８  ポスト
１９  ギャップ
２０  基板
２１  プロセッサ
２２  アレイドライバ
２４  行ドライバ回路
２６  列ドライバ回路
２７  ネットワークインターフェース
２８  フレームバッファ
２９  ドライバコントローラ
３０  ディスプレイアレイ
３２  テザー
３４  変形層
４０  ディスプレイデバイス
４１  筐体
４２  支持ポストプラグ
４３  アンテナ
４４  バス構造
４５  スピーカー
４６  マイク
４７  送受信部
４８  入力装置
５０  電源部
５２  調整用ハードウェア
８００  ディスプレイ装置
８１０  ホスト
８２０  バッファ
８３０  ドライバ
８４０  プロセッサ
８５０  メモリ
８６０  更新スケジューラ
８７０  ディスプレイ素子
９１０  波形
９１１  第一の更新期間
９１２  第二の更新期間
９１４、９１５、９１６、９１７  波形区間
１００５、１１１５、１３１５  セグメントライン
１０１０、１０１５、１１１０、１２１０、１３１０  更新区域
１０３０、１０３５、１０４０、１０４０、１０４５、１０５０、１０５５  コモンライン
１１２５、１１３５、１２２５、１２３５、１３２５、１３３５  更新グループ
１４００  プロセス
１４０５、１４１０、１４１５、１４２０、１４２５  段階
【図１】
2013516658.tif 000003
【図２】
2013516658.tif 000004
【図３】
2013516658.tif 000005
【図４】
2013516658.tif 000006
【図５Ａ】
2013516658.tif 000007
【図５Ｂ】
2013516658.tif 000008
【図６Ａ】
2013516658.tif 000009
【図６Ｂ】
2013516658.tif 000010
【図７Ａ】
2013516658.tif 000011
【図７Ｂ】
2013516658.tif 000012
【図７Ｃ】
2013516658.tif 000013
【図７Ｄ】
2013516658.tif 000014
【図７Ｅ】
2013516658.tif 000015
【図８】
2013516658.tif 000016
【図９】
2013516658.tif 000017
【図１０】
2013516658.tif 000018
【図１１Ａ】
2013516658.tif 000019
【図１１Ｂ】
2013516658.tif 000020
【図１２Ａ】
2013516658.tif 000021
【図１２Ｂ】
2013516658.tif 000022
【図１３Ａ】
2013516658.tif 000023
【図１３Ｂ】
2013516658.tif 000024
【図１４】
2013516658.tif 000025
【手続補正書】
【提出日】平成24年9月3日(2012.9.3)
【手続補正１】
【補正対象書類名】特許請求の範囲
【補正対象項目名】全文
【補正方法】変更
【補正の内容】
【特許請求の範囲】
【請求項１】
ディスプレイを更新する方法であって、
前記ディスプレイが、複数のラインとして配置された複数のディスプレイ素子を備え、それぞれの前記ラインが関連づけられた色及び極性を有し、
前記方法が、前記ディスプレイの一つまたは複数の更新区域を更新する段階を備え、
一つまたは複数の前記更新区域のうち少なくとも一つの更新区域が、複数のラインを備え、
少なくとも一つの前記更新区域の前記ラインが、一つまたは複数の更新グループとしてグループ化され、
一つまたは複数の前記更新グループが、前記ラインの隣接しないサブセットを備え、
どの特定の前記更新グループ内の全ての前記ラインも、同一の関連した色または同一の関連した極性を有し、
前記更新区域を更新する段階が、前記更新区域内のそれぞれの更新グループを更新する段階を備え、
それぞれの前記更新グループを更新する段階が、前記更新区域内の一つまたは複数の前記ラインのそれぞれが特定の更新順序で更新されるように、前記更新グループ内のそれぞれのラインを更新する段階を備え、
前記特定の更新順序が、複数の画像の更新のために用いられる、ディスプレイを更新する方法。
【請求項２】
どの特定の更新グループにおける全ての前記ラインも、同一の関連する色を有するが、同一の関連する極性を有しない、請求項１に記載の方法。
【請求項３】
どの特定の更新グループにおける全ての前記ラインも、同一の関連する色を有するが、同一の関連する極性を有しない、請求項１に記載の方法。
【請求項４】
どの特定の更新グループにおける全ての前記ラインも、同一の関連する色及び同一の関連する極性を有する、請求項１に記載の方法。
【請求項５】
前記更新グループのそれぞれが、約５のラインを備える、請求項１から４のいずれか一項に記載の方法。
【請求項６】
前記更新区域内の一つまたは複数の前記ラインが、隣接している、請求項１から５のいずれか一項に記載の方法。
【請求項７】
前記特定の更新順序が、データに依存しない、請求項１から６のいずれか一項に記載の方法。
【請求項８】
複数の前記ラインのうちのそれぞれのラインが、行または列を備える、請求項１から７のいずれか一項に記載の方法。
【請求項９】
前記ディスプレイ素子が、２状態安定デバイスを備える、請求項１から８のいずれか一項に記載の方法。
【請求項１０】
前記ディスプレイ素子が、干渉変調器を備える、請求項１から９のいずれか一項に記載の方法。
【請求項１１】
それぞれが関連する色及び極性を有する複数のラインとして配置された複数のディスプレイ素子と、
複数の前記ディスプレイ素子に接続されたプロセッサと、を備え、
前記プロセッサが、複数の前記ディスプレイ素子の一つまたは複数の更新区域を更新するように構成され、
一つまたは複数の前記更新区域のうち少なくとも一つの更新区域が、複数のラインを備え、
少なくとも一つの前記更新区域の前記ラインが、一つまたは複数の更新グループとしてグループ化され、
一つまたは複数の前記更新グループが、前記ラインの隣接しないサブセットを備え、
どの特定の更新グループにおける全ての前記ラインも同一の関連する色または同一の関連する極性を有し、
前記更新区域の更新が、前記更新区域内のそれぞれの前記更新グループの更新を備え、
それぞれの前記更新グループの更新が、前記更新区域内の一つまたは複数の前記ラインのそれぞれが特定の順序で更新されるように前記更新グループ内のそれぞれのラインの更新を備え、
前記特定の順序が、複数の画像更新のために用いられる、ディスプレイ装置。
【請求項１２】
どの特定の更新グループにおける全ての前記ラインも、同一の関連する色を有するが、同一の関連する極性を有しない、請求項１１に記載の装置。
【請求項１３】
どの特定のグループにおける全ての前記ラインも、同一の関連する極性を有するが、同一の関連する色を有しない、請求項１１に記載の装置。
【請求項１４】
どの特定の更新グループにおける全ての前記ラインも、同一の関連する色及び同一の関連する極性を有する、請求項１１に記載の装置。
【請求項１５】
前記更新グループのそれぞれが、約５のラインを備える、請求項１１から１４のいずれか一項に記載の装置。
【請求項１６】
前記更新区域内の一つまたは複数の前記ラインが、隣接している、請求項１１から１５のいずれか一項に記載の装置。
【請求項１７】
前記特定の更新順序が、データに依存しない、請求項１１から１６のいずれか一項に記載の装置。
【請求項１８】
複数の前記ラインのうちのそれぞれのラインが、行または列を備える、請求項１１から１７のいずれか一項に記載の装置。
【請求項１９】
前記ディスプレイ素子が、２状態安定デバイスを備える、請求項１１から１８のいずれか一項に記載の装置。
【請求項２０】
前記ディスプレイ素子が、干渉変調器を備える、請求項１１から１９のいずれか一項に記載の装置。
【請求項２１】
データを表示する手段であって、それぞれが関連する色及び極性を有する複数のラインを備える表示する手段と、
前記表示する手段の一つまたは複数の更新区域を更新する手段と、を備えるディスプレイ装置であって、
一つまたは複数の前記更新区域のうち少なくとも一つの更新区域が、複数のラインを備え、
少なくとも一つの前記更新区域の前記ラインが、一つまたは複数の更新グループとしてグループ化され、
一つまたは複数の前記更新グループが、前記ラインの隣接しないサブセットを備え、
どの特定の更新グループにおける全ての前記ラインも同一の関連する色または同一の関連する極性を有し、
前記更新区域を更新する手段が、前記更新区域内のそれぞれの前記更新グループを連続して更新する手段を備え、
それぞれの前記更新グループを更新する手段が、前記更新区域内の一つまたは複数の前記ラインのそれぞれが特定の更新順序で更新されるように前記更新グループ内のそれぞれのラインを更新する手段を備え、前記特定の更新順序が、複数の画像更新のために用いられる、ディスプレイ装置。
【請求項２２】
どの特定の更新グループにおける全ての前記ラインも、同一の関連する色を有するが、同一の関連する極性を有しない、請求項２１に記載の装置。
【請求項２３】
どの特定の更新グループにおける全ての前記ラインも、同一の関連する極性を有するが、同一の関連する色を有しない、請求項２１に記載の装置。
【請求項２４】
どの特定の更新グループにおける全ての前記ラインも、同一の関連する色及び同一の関連する極性を有する、請求項２１に記載の装置。
【請求項２５】
前記更新グループのそれぞれが、約５のラインを備える、請求項２１から２４のいずれか一項に記載の装置。
【請求項２６】
前記更新区域内の一つまたは複数の前記ラインが、隣接している、請求項２１から２５のいずれか一項に記載の装置。
【請求項２７】
前記特定の更新順序が、データに依存しない、請求項２１から２６のいずれか一項に記載の装置。
【請求項２８】
複数の前記ライン内のそれぞれの前記ラインが、行または列を備える、請求項２１から２７のいずれか一項に記載の装置。
【請求項２９】
前記表示する手段が、２状態安定デバイスを備える、請求項２１から２８のいずれか一項に記載の装置。
【請求項３０】
前記表示する手段が、干渉変調器を備える、請求項２１から２９のいずれか一項に記載の装置。
【請求項３１】
装置によって実行されると、装置にディスプレイを更新する方法を動作させる、コンピュータが実行可能な命令が格納された、コンピュータが読み取り可能な媒体であって、
前記ディスプレイが、それぞれが関連する色及び極性を有する複数のラインとして配置された複数のディスプレイ素子を備え、
前記方法が、ディスプレイの一つまたは複数の更新区域の更新を備え、
一つまたは複数の前記更新区域のうち少なくとも一つの更新区域が、複数のラインを備え、
少なくとも一つの前記更新区域の前記ラインが、一つまたは複数の更新グループとしてグループ化され、
一つまたは複数の前記更新グループが、前記ラインの隣接しないサブセットを備え、
どの特定の更新グループの全てのラインも、同一の関連する色または同一の関連する極性を有し、
前記更新区域の更新が、前記更新区域内のそれぞれの前記更新グループの連続的な更新を備え、
それぞれの前記更新グループの更新が、前記更新区域内の一つまたは複数の前記ラインのそれぞれが特定の更新順序で更新されるような前記更新グループ内のそれぞれのラインの更新を備え、
前記特定の更新順序が、複数の画像の更新のために用いられる、コンピュータが読み取り可能な媒体。
【請求項３２】
どの特定の前記更新グループにおける全ての前記ラインも、同一の関連する色を有するが、同一の関連する極性を有しない、請求項３１に記載のコンピュータが読み取り可能な媒体。
【請求項３３】
どの特定の前記更新グループにおける全ての前記ラインも、同一の関連する極性を有するが、同一の関連する色を有しない、請求項３１に記載のコンピュータが読み取り可能な媒体。
【請求項３４】
どの特定の前記更新グループにおける全ての前記ラインも、同一の関連する色及び同一の関連する極性を有する、請求項３１に記載のコンピュータが読み取り可能な媒体。
【請求項３５】
前記更新グループのそれぞれが、約５のラインを備える、請求項３１から３４のいずれか一項に記載のコンピュータが読み取り可能な媒体。
【請求項３６】
前記更新区域内の一つまたは複数の前記ラインが、隣接している、請求項３１から３５のいずれか一項に記載のコンピュータが読み取り可能な媒体。
【請求項３７】
前記特定の更新順序が、データに依存しない、請求項３１から３６のいずれか一項に記載のコンピュータが読み取り可能な媒体。
【請求項３８】
複数の前記ラインのそれぞれのラインが、行または列を備える、請求項３１から３７のいずれか一項に記載のコンピュータが読み取り可能な媒体。
【請求項３９】
前記ディスプレイ素子が、２状態安定デバイスを備える、請求項３１から３８のいずれか一項に記載のコンピュータが読み取り可能な媒体。
【請求項４０】
前記ディスプレイ素子が、干渉変調器を備える、請求項３１から３９のいずれか一項に記載のコンピュータが読み取り可能な媒体。
【国際調査報告】
2013516658.tif 000026
2013516658.tif 000027